(57)【特許請求の範囲】
【請求項１】
被空調室の天井面に吊りボルトを介して取付けられ、上記天井面と所定間隙を存して平行な天井板に設けられる開口部から、その底面が被空調室内に臨ませられる空気調和機本体と、この空気調和機本体内に収容される２つの熱交換器と、これら熱交換器に送風して熱交換させる２台の送風機と、上記空気調和機本体底面に開口され、各送風機により送風された熱交換空気を天井部から被空調室へ吹出案内する２つの吹出口と、上記２つの熱交換器の下端部に対向し、その中央に開口部を有するドレンパンと、上記開口部を挟んで上記ドレンパンの下面側に設けられる一対の凹溝とを備えた天井吊り形空気調和機であり、
それぞれの熱交換器には、熱交換器温度を検知するための熱交センサが取付けられ、それぞれの熱交センサから延長される信号用ラインと、上記各送風機に接続される動力用ラインとを、上記凹溝に沿って互いに離間して配線したことを特徴とする天井吊り形空気調和機。
【発明の詳細な説明】
【０００１】
【発明の属する技術分野】
本発明は、天井吊り形空気調和機に関する。
【０００２】
【従来の技術】
従来より、天井吊り形空気調和機が知られている。これは、空気調和機本体が被空調室の天井面に吊りボルトを介して取付けられ、かつ上記本体の底面は、天井面から離間するとともに平行に設けられる天井板の開口部から、被空調室内に臨ませられる。
【０００３】
空気調和機本体内には、たとえば互いに傾斜してハの字状に対称的な、２つの熱交換器が配置され、これら熱交換器に沿って、横流ファンを備えた２台の送風機が配置される。上記本体の底面には、離間した位置に２つの吹出口が開口され、これら吹出口の間には、吸込口が設けられる。
【０００４】
冷凍サイクル運転をなし、各送風機を駆動すれば、被空調室空気が吸込口から本体内に吸込まれ、熱交換器を通過して熱交換する。冷房運転時には冷気に換り、暖房運転時には暖気に換って、吹出口から被空調室内へ吹出案内される。
【０００５】
【発明が解決しようとする課題】
たとえば実開昭６３−２９０１９号公報には、この種の空気調和機構造が開示されているが、ここに用いられる２台の送風機の仕様は、互いに異なっており、電動モータおよび横流ファンの回転方向も相違する。
【０００６】
したがって、１台の本体内に、２種類の電動モータおよび横流ファンを用意しなければならず、部品種類が多くなるとともに、それぞれの取付けの際には、確認を取りながら作業しなければならず、手間がかかる。
【０００７】
また、上記吹出口から吹き出される熱交換空気が設定温度になるよう制御する手段が備えられているが、その判断基準をなす要素の一つとして、２つの熱交換器の温度を検出している。
【０００８】
すなわち、各熱交換器には熱交センサが設けられており、それぞれに信号線が接続され、本体の側部に設けられる電気部品箱まで延出される。この箱内には、制御用端子が設けられていて、センサの信号線が接続される。
【０００９】
しかしながら、従来における信号線は、熱交センサから本体の側面部や上面部に沿って引き廻わされ、その上で電気部品箱に延出される。そのため、熱交センサに対する補修作業が必要な場合には、本体を一旦分解して、他の構成部品を取り除いた上行わなければならず、極めて面倒な作業を強いられている。
【００１０】
また、空気調和機には、上記熱交センサに接続される信号線とは別に、送風機モータに対する回転数制御用ラインや、シリアル信号用ラインなどからなる信号用ラインが必要である。さらに、上記送風機モータに動力用ケーブルを接続しなければならず、電源用ライン、ドレンポンプのリード線などからなる動力用ラインも必要である。
【００１１】
従来、信号用ラインと動力用ラインとが、本体内で各構成部品の隙間をぬって配線されており、これらはまた、電気部品箱内で交差している。部品箱には１つの穴が設けられ、ここから信号用ラインと動力用ラインが束ねられて外部に延出される。
【００１２】
このように、本体内と電気部品箱内において、各ラインが混線しているので、特に動力用ラインから発生するノイズを信号用ラインが拾い易く、制御信頼性の低下につながる虞れがある。さらに、配線処理を系統立てて行うようになっておらず、作業性が悪いとともにメンテンナンス上の問題が大である。
【００１３】
また、この種の装置は、被空調室の天井面に吊りボルトを介して取付けられる一方、本体底面が、天井板に設けられる開口部から被空調室内に臨ませられるようになっているため、本体の吊り位置に対する天井板開口部位置の設定が面倒である。
【００１４】
従来は、たとえば図６（Ａ）に示すように、本体１のセンタ位置Ａから左右対称な位置、すなわち同一寸法ａ，ａ´に振り分けられた位置に吊りボルトの取付け位置がくるよう、取付け穴ｎを備えた固定金具ｍが設けられる。
【００１５】
配管作業の都合上、本体Ｈの一側部にまとめて接続用配管ｐ…が突出しており、その分、取付け穴ｎから天井板に設けられる開口部Ｕの一側縁までの距離ｂ´を、接続配管ｐ…がない他側部における距離ｂと比較して、大（ｂ＜ｂ´）であり、ｃ＝ａ＋ｂ＜ｃ´＝ａ´＋ｂ´となる。
【００１６】
そのため、本体Ｈのセンタ位置Ａに対して、開口部センタ位置Ｂは、接続配管ｐ側にずれることとなり、作業者が開口部センタＢを基準にして左右対称に吊りボルトの位置設定をなしてしまうことが多く、その結果、本体Ｈの取付けできないミスが発生し易い。
【００１７】
そこで、図６（Ｂ）に示すように、本体Ｈの位置は変えず、新たな開口部Ｖのセンタ位置が本体センタ位置に重なるよう合わせた、新たなセンタ位置Ｃを設定する。ここから接続配管ｐ側の取付け穴ｎ位置までの距離ａ´は、先に同図（Ａ）で説明したものと変わりがなく、さらに、ここから開口部Ｖ側縁までの距離ｂ´も変わりがなく、ｃ´＝ａ´＋ｂ´となる。反接続配管側の取付け穴ｎ位置も、左右対称に設定するので、同符号が入れられる。
【００１８】
したがって、吊りボルトの取付け位置および開口部寸法など、センタ位置Ｃからの等しい振り分けに設定できるので、据付ミスの防止を図れるが、天井板の開口部Ｖ面積が、先に説明したものよりも大になってしまう。これに合わせて、本体Ｈの底面部に取付ける化粧パネルの面積を拡大しなければなず、インテリア上好ましくなく、コスト面で不利である。
【００２１】
本発明は上述の事情に鑑みなされたものであり、その目的とするところは、センサなどに接続される信号用ラインと、送風機などに接続される動力用ラインの配線処理を系統立てるとともに、可能な限り離間して配線することにより、動力用ラインから発生するノイズが信号用ラインに悪影響を与えることのないようにして、特に制御系の信頼性の向上を図り、メンテナンスの容易化を得られる天井吊り形空気調和機を提供しようとするものである。
【００２５】
【課題を解決するための手段】
本発明は、空気調和機本体を被空調室の天井面に吊りボルトを介して取付け、上記天井面と所定間隙を存して平行な本体底面を天井板に設けられる開口部から被空調室内に臨ませ、この空気調和機本体内に、２つの熱交換器と、これら熱交換器に送風して熱交換させる２台の送風機を収容し、本体底面に、各送風機により送風された熱交換空気を被空調室天井から吹出案内する２つの吹出口と、２つの熱交換器の下端部に対向し、その中央に開口部を有するドレンパンと、開口部を挟んでドレンパンの下面側に設けられる一対の凹溝とを備えた天井吊り形空気調和機であり、各熱交換器に、熱交換器温度を検知するための熱交センサを取付け、各熱交センサから信号用ラインを延長し、この信号用ラインは、各送風機に接続される動力用ラインと上記凹溝に沿って互いに離間して配線した。
【００２９】
このような課題を解決する手段を採用することにより、各熱交換器の熱交センサから延長する信号用ラインを、各送風機から延長される動力用ラインと、互いに離間して配線したので、動力用ラインから発生するノイズの影響が信号用ラインに及ぶことがない。
【００３１】
【発明の実施の形態】
以下、本発明の一実施例を図面を参照して説明する。
図１に、天井吊り形空気調和機の室内ユニットを分解して示す。
図中１は、上面部と一対の両側面部とを断面コ字状に折曲形成した基板２と、この基板２の両側面部に設けられる側面板３ａ，３ｂとからなり、下面側が開口するユニット本体である。
【００３２】
一方の側面板３ａには、ここでは図示しないドレン配管が挿通するための切欠部４が設けられるとともに、この切欠部４にドレン配管が挿通した状態で、残りの隙間を覆う配管カバー５が設けられる。
【００３３】
この側面板３ａに沿うユニット本体１内に、外部電源と電気的に接続される電源端子６が取付けられる。他方の側面板３ｂに沿うユニット本体１内には、図示しない電装品を収容する電装品箱７が設けられていて、上記電源端子６とともに電源部品部８が構成される。
【００３４】
換言すれば、上記電源部品部８は、電源端子６および電装品箱７から構成されていて、これらはユニット本体１内における、互いに反対側の部位に配備されることになる。
上記側面板３ａ近傍のユニット本体１内には、ドレン配管が接続されるドレンポンプ９が配置される。
【００３５】
上記ユニット本体１の下面開口部からケーシング１０が装着されていて、このケーシング１０は、下面が開口し、かつ両側面板３ａ，３ｂと同一方向の両側面部には、逆Ｕ字状の切欠１１…が設けられる。
これら切欠１１…には、それぞれ送風機１２，１２が嵌め込まれ、かつ支持具１５，１５を介して取付け固定される。
【００３６】
すなわち、ここには２台の送風機１２，１２が配備されていることになる。それぞれの送風機１２は、電動モータ１３と、この電動モータ１３の回転軸に連結される送風ファン１４からなる。
【００３７】
上記送風ファン１４は、軸方向に極端に長く、回転にともなって周方向から吸い込んだ空気を別の周方向へ吹出す、いわゆる横流ファンが用いられる。
これら送風機１２，１２に対する必要不可欠な条件として、各電動モータ１３の回転軸回転方向、入出力、定格電流、タイプおよび寸法構造等の全ての仕様が同一のものを、２台用意しなければならない。
【００３８】
同様に、送風ファン１４も、直径、全長、ブレード曲成方向、材質およびブレード数等の全ての仕様が同一のものを２組用意し、上記電動モータ１３に連結しなければならない。
【００３９】
このように構成される各送風機１２，１２は、上記ケーシング１０の所定位置に、互いに平行な状態で取付け固定されるわけだが、必ず、互いの電動モータ１３，１３の位置が、互いに逆方向になるように位置決めする。
【００４０】
したがって、各送風機１２，１２を駆動した状態で、吸込方向を互いに同一方向に設定すれば、吹出し方向は対称の方向になる。たとえば、各送風機１２，１２に対する側面視で、これらの中間部を吸込方向に設定すれば、左右斜め方向が吹出し方向になる。
【００４１】
各送風機１２，１２をケーシングに支持する上記支持具１５，１５には、ノーズ１６，１６が取付け固定される。
また、各送風機１２，１２の相互間に、２組の熱交換器１７，１７が配設される。これら熱交換器１７は、多数枚のフィンに熱交換パイプを貫通させた、フィンドチューブ型であり、平板状になっており、互いの上端部が当接し、下端部が離間するよう傾斜して、側面視で略ハの字状に組立られる。
【００４２】
各熱交換器１７，１７の下方部位には、ドレンパン１８が設けられている。このドレンパン１８は、熱交換器１７，１７の下端部に対向するよう平面矩形枠状に形成され、中央に開口部１８ａを有する。
【００４３】
図２および図３に示すように、各熱交換器１７，１７相互間に仕切板１９が介設され、ケーシング１内を左右に仕切っている。この仕切板１９には、コード保持具２０が取付けられる一方、上記熱交換器１７，１７には熱交換センサ２１，２１が取付けられており、これら熱交換センサ２１，２１に接続される信号線２２，２２の中途部が上記コード保持具２０にまとめて保持される。
【００４４】
図３のみに示すように、上記ドレンパン１８の下部側には、上記ユニット本体１の下面開口部を閉塞する化粧パネル２３が設けられる。この化粧パネル２３には、上記ドレンパン１８の開口部１８ａと対向する部位に吸込口２４が設けられる。
【００４５】
ドレンパン１８両側部と、ケーシング１０両側部とのなす空間部に対向して、２つの吹出口２５，２５が設けられる。それぞれの吹出口２５，２５には、互いに左右逆方向に傾斜するルーバ２６，２６が設けられる。
【００４６】
図４に示すように、上記ドレンパン１８の裏面側（下面側）には、開口部１８ａの両側に沿って一対の凹溝２７，２７が設けられ、ここにコードからなる動力用ライン２８と、信号用ライン２９が嵌合保持される。
【００４７】
すなわち、ケーシング１０の一側端に設けられる電装部品箱７と、他側端に設けられる電源端子６との間には、電源コード、上記送風機１２の電動モータ１３やドレンポンプ９に接続されるコードなどをまとめた動力用ライン２８と、上記熱交センサ２１に接続される信号線２２、電動モータ１３の回転数制御用ライン、シリアル信号ラインをまとめた信号用ライン２９との、２つのライン２８，２９が架設される。
【００４８】
上記動力用ライン２８は、一方の凹溝２７に沿って嵌合保持され、上記信号用ライン２９は他方の凹溝２７に沿って嵌合保持される。したがって、互いのライン２８，２９は、可能な限り離間して配線されることとなり、配線処理に迷うようなことがない。
【００４９】
再び図３に示すように、ユニット本体１の長手方向の両側部には、後述する固定金具３０，３１が突設されており、ここに設けられる取付け穴３２に、天井面３３から垂設される吊りボルト３４の下端部が取付け固定される。
【００５０】
すなわち、本体１は吊りボルト３４を介して天井面３３から吊り下げられた状態で支持される。そして、天井面３３と平行に設けられる天井板３５の開口部３６に、本体１が挿入され、かつ化粧パネル２３が天井板３５下面に突出し、被空調室Ｒ内に臨ませられる。
上記化粧パネル２３の全面積は、上記開口部３６面積よりも大であり、したがって本体１周面と開口部３６周縁との隙間を、全て遮蔽する。
【００５１】
また、同図においては、全て概略的に示したので、両側の固定金具３０，３１の突出寸法を略同一に図示したが、実際には、吊りボルト３４による本体１の取付け固定のための寸法設定と、天井板３５の開口部３６面積の寸法設定の条件から、後述するように相違する。
【００５２】
図５に示すように、天井板開口部３６の寸法は、先に図６（Ａ）で説明したものと全く同一にして、同図（Ｂ）に示したもののように開口部面積を拡大させないことを必要条件とする。
【００５３】
ユニット本体１のセンタ位置Ａは、図６（Ａ）で説明したものと同様でよく、非配管接続側の固定金具３１は、従来のものをそのまま用いる。したがって、この固定金具３１の取付け穴３２から開口部３５一側縁までの距離ｂも、従来と変わらない。
【００５４】
開口部センタ位置Ｂから、本体１の長手方向の両側部で、かつ左右に同等に振り分けた位置ｄ，ｄに、各固定金具３０，３１の取付け穴３２が位置するように、配管４接続側の固定金具３０を他方の固定金具３１よりも延長変形させる。この変形固定金具３１の取付け穴３２と、開口部３５側縁までの距離ｂは、先に説明した他方の距離と全く同一となる。
【００５５】
したがって、本体１のセンタ位置Ａを変えずに、天井板開口部３５のセンタ位置Ｂを中心に左右に均等に振り分けた距離ｄ，ｄに、左右の吊りボルト３４のピッチをとることができ、かつセンタ位置Ｂを中心に左右に振り分けた距離ｃ，ｃに開口部３５の開口寸法を設定できる。
【００５６】
このようにして据え付けられる室内ユニットであり、各熱交換器１７，１７に対する冷凍サイクル運転とともに各送風機１２，１２を同時駆動することにより、被空調室空気が吸込口３４からユニット本体１内に吸込まれ、仕切板１９で左右に分流されて、各熱交換器１７，１７を通過する。
【００５７】
このとき、被空調室空気は各熱交換器１７，１７と熱交換して、冷房運転時は冷気に換り、暖房運転時は暖気に換って、各吹出口２５，２５から被空調室Ｒ内へ吹出される。
【００５８】
各送風機１２，１２は、互いに同一仕様で、かつ同一回転方向の電動モータ１３および送風ファン１４であり、これらを互いに平行で、電動モータ１３位置を互いに逆方向に配置したので、吹出方向を互いに逆方向にとることができ、送風機１２，１２の取付けにあたっては、特に神経を使わずにすみ、部品管理が容易になる。
【００５９】
各熱交換器１７に取付けられる熱交センサ２１は、それぞれの温度をリアルタイムで検知し、その検知信号を電装部品箱７内の制御部に送る。ここでは、他の構成部品からの検知信号を受けて、設定条件に適応した運転をなすよう、各部品に制御信号を送る。
【００６０】
上記各熱交センサ２１から延長される信号線２２の中途部を、仕切板１９に取着した保持具２０にまとめて保持し、さらに外部電源に導くようにしたので、熱交センサ２１の補修交換などの際に、他の部品まで取外しすることなく、そのまま作業できて容易化する。
【００６１】
各送風機１２などから延長される動力用ライン２８と、各熱交換器１７に取付けられる熱交センサ２１などから延長する信号用ライン２９と、ドレンパン１８に設けた一対の凹溝２７，２７にそれぞれ嵌合保持したので、各ライン２８，２９は互いに離間して配線されることになり、動力用ライン２８から発生するノイズの影響が信号用ライン２９に及ぶことがない。
【００６２】
本体１の据付にあたって、天井板３５の開口部３６寸法を拡大することなく、開口部センタＢから左右対称な位置に吊りボルト３４の取付け位置がくるよう、一方の固定金具３０のみ、突出長さを異ならせたので、吊りボルト３４の取付けミスがなくなる。
なお、上記実施例構造に限定されるものではなく、本発明の要旨を越えない範囲内で種々の変形実施が可能なことは、勿論である。
【００６５】
上述したように、熱交センサなどに接続される信号用ラインと、送風機などに接続される動力用ラインとを、互いに充分に離間した位置に配線したので、特に、動力用ラインから発生するノイズの影響を信号用ラインが受けることがなく、制御系の信頼性の向上を図り、メンテナンスの容易化を得られるなどの効果を奏する。
【図面の簡単な説明】
【図１】本発明の一実施の形態の構成を示す、天井吊り形空気調和機の室内ユニットを一部省略し、かつ分解した斜視図。
【図２】同実施の形態の、室内ユニットの概略の平面図。
【図３】同実施の形態の、室内ユニットの概略の縦断面図。
【図４】同実施の形態の、室内ユニットの一部を省略して、特に配線構造を現す斜視図。
【図５】同実施の形態の、室内ユニットの天井取付けのための寸法設定図。
【図６】（Ａ）および（Ｂ）は、互いに異なる従来例を示す、室内ユニットの天井取付けのための寸法設定図。
【符号の説明】
Ｒ…被空調室、
３３…天井面、
３４…吊りボルト、
３５…天井板、
３６…開口部、
１…ユニット本体、
１７…熱交換器、
２５…吹出口、
１２…送風機、
１３…電動モータ、
１４…送風ファン、
１９…仕切板、
２１…熱交センサ、
２２…信号線、
２０…保持具、
２９…信号用ライン、
２８…動力用ライン、
３０，３１…固定金具。
【図１】
0003572286.tif 000002
【図２】
0003572286.tif 000003
【図３】
0003572286.tif 000004
【図４】
0003572286.tif 000005
【図５】
0003572286.tif 000006
【図６】
0003572286.tif 000007